(57)【要約】【課題】旗地一側縁の最下端に位置するチチへの着脱がワンタッチで行えると共に、風による捲れ上がりや旗竿への巻き付きを、旗地を破断することなく防止できるようにする。【解決手段】のぼり旗の旗地Ｑ一側縁の最下端に配置したチチＴに固定する防止具本体１を備える。この、防止具本体１は、一端が幅広開口部１ａとなり且つ他端が幅狭開口部１ｂとなった全体略コ字枠状に成形することで互いに対向配置してなる左右一対の挟持用外板２ａ、２ｂと、両挟持用外板２ａ、２ｂの間に一体形成し、幅広開口部１ａ側に位置する側面が旗竿Ｐに当接する円弧状面部３ａとなった中ブロック３とを備え、旗竿Ｐに対する巻回位置から両端部の旗地Ｑ縁部取付位置の間におけるチチＴの両側をそれぞれ挿入する一対の差込溝部５ａ、５ｂを中央の中ブロック３を介して両挟持用外板２ａ、２ｂの間に備える。【選択図】図４
2009025467.tif 000002
【特許請求の範囲】
【請求項１】
旗地の一側縁および上端縁にそれぞれ複数のループ状のチチが取り付けられ、旗地の一側縁に配設されたチチに旗竿を挿通させ、旗地の上端縁に配設されたチチに横竿を挿通させてなるのぼり旗の旗地一側縁の最下端に配置されたチチに装着される捲れ上がり・巻き付き防止具であって、該防止具本体は、一端が幅広開口部となり且つ他端が幅狭開口部となった全体略コ字枠状に成形されることで互いに対向配置してなる左右一対の挟持用外板と、両挟持用外板の間に一体形成され、幅広開口部側に位置する側面が旗竿に当接される円弧状面部となった中ブロックとを備え、旗竿に対する巻回位置から両端部の旗地縁部取付位置の間におけるチチの双方をそれぞれ挿入させる一対の差込溝部を中央の中ブロックを介して両挟持用外板の間に備えてなることを特徴とするのぼり旗の捲れ上がり・巻き付き防止具。
【請求項２】
両挟持用外板は、その幅広開口部側で旗竿を両側から挟持する左右一対の係止爪状片を一体成形してなる請求項１記載ののぼり旗の捲れ上がり・巻き付き防止具。
【請求項３】
前記係止爪状片は、半リング状もしくはＣリング状に形成されている請求項２記載ののぼり旗の捲れ上がり・巻き付き防止具。
【請求項４】
防止具本体の装着位置上方の旗竿に装着されて係止爪状片を係止させるようＣリング状のストッパ部材を備えた請求項１または２記載ののぼり旗の捲れ上がり・巻き付き防止具。
【発明の詳細な説明】
【技術分野】
【０００１】
本発明は、広告宣伝等に使用されるのぼり旗の風等による捲れ上がりや旗竿への巻き付き等を防止するためののぼり旗の捲れ上がり・巻き付き防止具に関する。
【背景技術】
【０００２】
従来、この主の防止具としては、特許文献１に開示されているように、旗竿にチチと称する複数の掛止布片を介して取り付けられた旗地一側縁の最下端に位置する掛止布片の固定部に取付孔を設け、該取付孔に略球状の錘をフックを介して吊り下げることにより、風による旗地の捲れ上がりを防止したのぼり旗装置なる技術が存在する。
【特許文献１】特開２００４−２８６８６７号公報
【発明の開示】
【発明が解決しようとする課題】
【０００３】
しかしながら、従来においては、錘自体を旗一枚毎に取り付けるため、取付が非常に面倒で且つ高価なものとなる。しかも、旗地の一側縁下端に位置する掛止布片に取り付けられている錘によって当該旗全体が下方に常時引っ張られているため、風の強い煽りによって旗地が破断してしまう等という問題点を有していた。
【０００４】
そこで、本発明は、叙上のような従来存した諸事情に鑑み案出されたもので、旗地一側縁の最下端に位置するチチへの着脱がワンタッチで行えると共に、風等による捲れ上がりや旗竿への巻き付き等を、旗地を破断させることなく確実に防止することができ、且つ低コストで作製できるものとしたのぼり旗の捲れ上がり・巻き付き防止具を提供することを目的とする。
【課題を解決するための手段】
【０００５】
上述した課題を解決するため、本発明にあっては、旗地の一側縁および上端縁にそれぞれ複数のループ状のチチが取り付けられ、旗地の一側縁に配設されたチチに旗竿を挿通させ、旗地の上端縁に配設されたチチに横竿を挿通させてなるのぼり旗の旗地一側縁の最下端に配置されたチチに装着される捲れ上がり・巻き付き防止具であって、該防止具本体は、一端が幅広開口部となり且つ他端が幅狭開口部となった全体略コ字枠状に成形されることで互いに対向配置してなる左右一対の挟持用外板と、両挟持用外板の間に一体形成され、幅広開口部側に位置する側面が旗竿に当接される円弧状面部となった中ブロックとを備え、旗竿に対する巻回位置から両端部の旗地縁部取付位置の間におけるチチの双方をそれぞれ挿入させる一対の差込溝部を中央の中ブロックを介して両挟持用外板の間に備えてなることを特徴とする。
【０００６】
両挟持用外板は、その幅広開口部側で旗竿を両側から挟持する左右一対の係止爪状片を一体成形してなる。
【０００７】
前記係止爪状片は、半リング状もしくはＣリング状に形成されている。
【０００８】
防止具本体の装着位置上方の旗竿に装着されて係止爪状片を係止させるようＣリング状のストッパ部材を備えている。
【発明の効果】
【０００９】
本発明によれば、旗地一側縁の最下端に位置するチチへの着脱がワンタッチで行えると共に、風等による捲れ上がりや旗竿への巻き付き等を、旗地を破断させることなく確実に防止することができ、しかも低コストで作製できるものである。
【００１０】
すなわち、本発明は、旗地一側縁の最下端に位置するチチの上側から防止具本体を装着した際に、中ブロックの幅広開口部側に位置する円弧状面部が旗竿に当接されると同時に、旗竿の巻回位置から両端部の旗地縁部取付位置の間におけるチチの双方を、中央の中ブロックを介して両挟持用外板の間に備えている一対の差込溝部それぞれに挿入させることから、チチへの装着がワンタッチで行えると共に、風等による捲れ上がりや旗竿への巻き付き等を確実に防止することができる。
【００１１】
両挟持用外板は、その幅広開口部側で旗竿を両側から挟持する左右一対の係止爪状片を一体成形してなるので、当該係止爪状片の旗竿への挟持により防止具本体が固定されることから、いわゆるテコの原理が働き、これによってチチがしっかりと保持され、旗竿上側への旗地の捲れ上がりや旗竿の廻りへの巻き付きを未然に防止することができる。
【００１２】
前記係止爪状片は、半リング状もしくはＣリング状に形成されているので、当該係止爪状片の旗竿に対する挟持がしっかりとしたものとなり、防止具本体を旗竿に確実に固定させておくことができる。
【００１３】
防止具本体の装着位置上方の旗竿に装着されて係止爪状片を係止させるようＣリング状のストッパ部材を備えたので、防止具本体を旗竿にさらに確実に固定させておくことができる。
【発明を実施するための最良の形態】
【００１４】
以下、図面を参照して本発明を実施するための最良の一形態を説明する。
【００１５】
本発明に係る防止具本体１は、図１に示すように、旗地Ｑの一側縁及び上端縁にそれぞれ複数のループ状のチチＴが取り付けられ、旗地Ｑの一側縁に配設されたチチＴに旗竿Ｐを挿通させ、旗地Ｑの上端縁に配設されたチチＴに横竿Ｐ１を挿通させてなるのぼり旗の旗地Ｑ一側縁の最下端に配置されたチチＴに上方側から差し込み装着されるものである。尚、図中Ｗはのぼり旗の取付台を示す。
【００１６】
また、旗地Ｑは、縦長長方形の例えば布、不織布、あるいはビニール等の樹脂製シート等が用いられ、その片面あるいは両面に広告宣伝用の図柄や文字等が施されている。そして、チチＴは、旗地Ｑの一側縁および上端縁に等間隔で複数箇所に取り付けられている。このとき、チチＴは、例えばアクリルテープやＢＰテープ等の撥水性を有すると共に強風で引き千切られない十分な強度を有する長尺のテープが用いられ、その両端で旗地Ｑを挟んで溶着等によって取付けられ、その外側に形成されるループ部に旗竿Ｐが挿入される。布地材が用いられ縫合によって取付けることもできる。
【００１７】
防止具本体１は、図２（ａ）乃至（ｆ）に示すように、例えば金型によるプラスチック素材の射出成形等によって、一端が幅広開口部１ａとなり且つ他端が幅狭開口部１ｂとなった全体略コ字枠状に一体成形されることにより、当該防止具本体１の中央底面２ｃの両側が、互いに対向する左右一対の挟持用外板２ａ、２ｂとなっている。
【００１８】
また、両挟持用外板２ａ、２ｂの間には、当該両挟持用外板２ａ、２ｂと離隔した状態で中ブロック３が一体形成され、該中ブロック３の幅広開口部１ａ側に位置する側面が旗竿Ｐの側面に沿って当接される縦長の円弧状面部３ａとなっている。このとき、両挟持用外板２ａ、２ｂの幅広開口部１ａを介しての左右上側には、旗竿Ｐを両側から挟持するための一対の係止爪状片４ａ、４ｂを一体形成してある。
【００１９】
そして、中ブロック３を介して両挟持用外板２ａ、２ｂの間に左右一対の差込溝部５ａ、５ｂが形成されている。これら差込溝部５ａ、５ｂは、両挟持用外板２ａ、２ｂの一端の幅広開口部１ａにおける中ブロック３の円弧状面部３ａの左右から他端の幅狭開口部１ｂに至っている。
【００２０】
また、図５（ｃ）に示すような筒部６ａの下端にフランジ部６ｂを備えて一部を切欠してなる略Ｃリング状のストッパ部材６を設け、図５（ａ）（ｂ）に示すように、防止具本体１の装着位置の反対側から上方より旗竿Ｐにこの略Ｃリング状のストッパ部材６を嵌合装着させて、一対の係止爪状片４ａ、４ｂを係止させるようにしても良い。
【００２１】
次に、以上のように構成された最良の形態についての組立、使用、動作の一例について説明する。
【００２２】
先ず、図４（ａ）に示すように、チチＴの旗竿Ｐに巻回装着されるループ部と、両端部で旗地Ｑ縁部を挟んで取付けられている位置との間におけるチチＴの双方に上方側から、図３（ａ）（ｂ）に示すように、防止具本体１を装着し、左右一対の差込溝部５ａ、５ｂに双方のチチＴをそれぞれ挿入する。
【００２３】
そして、図３（ｃ）、図４（ｂ）（ｃ）に示すように、中ブロック３の幅広開口部１ａ側の円弧状面部３ａを旗竿Ｐ側面に当接させると同時に、幅広開口部１ａにおける左右一対の係止爪状片４ａ、４ｂで旗竿Ｐを両側から挟持することで、チチＴは旗竿Ｐに対して上方向に捲りあがったり、旗竿Ｐの廻りを巻き込んだりせずにしっかりと固定される。尚、防止具本体１のチチＴに対する取付方法は、図３に示す方法ではなくても良い。例えば、幅狭開口部１ｂ側から差込溝部５ａ、５ｂをチチＴに挿入し、その後幅広開口部１ａ側を前記同様旗竿Ｐに当接挟持するようにしても良い。
【００２４】
また、図６には、防止具本体１の他の例が示されている。すなわち、本形態では、前記係止爪状片４ａ、４ｂが、両挟持用外板２ａ、２ｂから外方へ円弧状に延設され、両挟持用外板２ａ、２ｂを介して平面略半リング状もしくは平面略Ｃリング状に形成されている。
【図面の簡単な説明】
【００２５】
【図１】本発明を実施するための最良の形態における防止具本体を使用した状態を示すのぼり旗の正面図である。
【図２】同じく防止具本体の一例を示し、（ａ）は斜め一端側から見た斜視図、（ｂ）は底面図、（ｃ）は平面図、（ｄ）は正面図、（ｅ）は右側面図、（ｆ）は左側面図である。
【図３】同じく防止具本体の使用手順を説明するもので、（ａ）は防止具本体をチチの上方から下方に移動させる状態の正面図、（ｂ）は防止具本体の一対の差込溝部にチチの双方を挿入している状態の正面図、（ｃ）は防止具本体をチチに装着した状態の正面図である。
【図４】同じく防止具本体の使用手順を説明するもので、（ａ）は防止具本体を装着する前の旗竿の横断面図、（ｂ）は防止具本体を装着した状態の横断面図、（ｃ）は（ｂ）におけるＡ−Ａ断面図である。
【図５】同じく防止具本体の他の使用例を示し、（ａ）は防止具本体と共にストッパ部材を装着した状態の正面図、（ｂ）は（ａ）におけるＢ−Ｂ断面図、（ｃ）はストッパ部材の一例を示す斜視図である。
【図６】同じく防止具本体の他の構成例を示し、（ａ）は防止具本体の斜視図、（ｂ）は使用状態の正面図である。
【符号の説明】
【００２６】
Ｐ          旗竿
Ｐ１        横竿
Ｑ          旗地
Ｔ          チチ
１          防止具本体
１ａ        幅広開口部
１ｂ        幅狭開口部
２ａ、２ｂ  挟持用外板
２ｃ        中央底面
３          中ブロック
３ａ        円弧状面部
４ａ、４ｂ  係止爪状片
５ａ、５ｂ  差込溝部
６          ストッパ部材
６ａ        筒部
６ｂ        フランジ部
【図１】
2009025467.tif 000003
【図２】
2009025467.tif 000004
【図３】
2009025467.tif 000005
【図４】
2009025467.tif 000006
【図５】
2009025467.tif 000007
【図６】
2009025467.tif 000008